(57)【特許請求の範囲】
【請求項１】
エアゾール容器の巻回部に装着されるアダプタ台座部に立設された２つの側壁部と、当該側壁部の相互間に掛け渡された梁部と、この梁部から２つの側壁部の相互間を垂下する操作片とを一体に設け、前記梁部と前記操作片との間の上面に薄肉部を形成し、この薄肉部を基点に前記操作片を引き起こし可能にしたことを特徴とするエアゾール容器用噴射アダプタ。
【請求項２】
エアゾール容器の巻回部に装着されるアダプタ台座部から立設された２つの側壁部と、これらの側壁部の後端に連結され、前記連結部分から垂下する操作片とを一体に設け、
前記側壁部と前記操作片との間の上面にそれぞれ薄肉部を形成し、この薄肉部を基点に前記操作片を引き起こし可能にしたことを特徴とするエアゾール容器用噴射アダプタ。
【請求項３】
請求項２において、前記操作片は、前記側壁部の上面に対向配置され、平坦面に形成された先端部と、前記連結部分から垂下形成された押圧部とからなるＬ字状であることを特徴とするエアゾール容器用噴射アダプタ。
【発明の詳細な説明】
【技術分野】
【０００１】
本発明は、エアゾール容器のノズルヘッドを押圧するにあたって補助的に機能して内容物の噴射を容易なものとするエアゾール容器用噴射アダプタに関するものである。
【背景技術】
【０００２】
従来の噴射アダプタには、筒状体の上部開口を天壁で封止し、この天壁に、スリットによって舌片を形作って操作片とすることで、当該アダプタ全体を一体に成形することができるものがある（例えば、特許文献１参照。）。
【特許文献１】特開２００１−９７４６６号公報
【発明の開示】
【発明が解決しようとする課題】
【０００３】
こうした従来の噴射アダプタは、部品点数が削減されるため、コスト性や生産性の面で有効であるが、操作片を形作るための天壁が必須となり、また、操作片の押し下げを容易にするべく、天壁を傾斜させる必要があることから、小型化には限界がある。このため、輸送や保管等を考慮した場合、噴射アダプタが嵩張るなどして流通性の面において改善の余地がある。
【０００４】
本発明の目的とするところは、部品点数を増加させることなく、流通性の面において有効なエアゾール容器用噴射アダプタを提供することにある。
【課題を解決するための手段】
【０００５】
本発明であるエアゾール容器用噴射アダプタは、エアゾール容器の巻回部に装着されるアダプタ台座部に立設された２つの側壁部と、当該側壁部の相互間に掛け渡された梁部と、この梁部から２つの側壁部の相互間を垂下する操作片とを一体に設け、前記梁部と前記操作片との間の上面側に薄肉部を形成し、この薄肉部を基点に前記操作片を引き起こし可能にしたことを特徴とするものである。
【０００６】
また、本発明である他のエアゾール容器用噴射アダプタは、エアゾール容器の巻回部に装着されるアダプタ台座部から立設された２つの側壁部と、これらの側壁部の後端に連結され、前記連結部分から垂下する操作片とを一体に設け、前記側壁部と前記操作片との間の上面にそれぞれ薄肉部を形成し、この薄肉部を基点に前記操作片を引き起こし可能にしたことを特徴とするものである。
【０００７】
また、２つの側壁部に操作片を連結するに際しては、当該操作片は、前記側壁部の上面に対向配置され、平坦面に形成された先端部と、前記連結部分から垂下形成された押圧部とからなるＬ字状であることが好ましい。
【発明の効果】
【０００８】
本発明のエアゾール容器用噴射切換アダプタによれば、側壁部の相互間に掛け渡された梁部と操作片との間の上面に、又は、側壁部と操作片との間の上面に薄肉部を形成し、この薄肉部を基点に操作片を引き起こし可能としたことで、当該アダプタを一体に成形することができる。
【０００９】
しかも、本発明によれば、操作片を引き起こすまでの間、この操作片は２つの側壁部の相互間に収納されるので、輸送や保管などの流通段階においてアダプタ同士が引っ掛かったり、嵩張ったりすることがない。また、操作片を設けることによって、小さな力で噴射が可能となる。
【００１０】
従って、本発明によれば、部品点数を増加させることなく、流通性の面において有効なエアゾール容器用噴射アダプタを提供することができる。
【００１１】
また、従来の噴射アダプタは、天壁に区画された操作片を押し下げる構成であることから、ノズルヘッドの押し下げによって内容物を噴射させるエアゾール容器には有効であるが、ノズルヘッドの傾倒によって内容物を噴射させるエアゾール容器には適用が困難である。
【００１２】
これに対し、２つの側壁部に操作片を連結し、側壁部と操作片との間に薄肉部を形成する場合、操作片を略Ｌ字状に形成し、その先端部に平坦面を形成しておけば、操作片の押圧部を引き上げたのち、エアゾール容器に装着すると、当該操作片の平坦面がノズルヘッドの側面に沿って整列する。これにより、操作片の押圧部を押し下げれば、操作片の平坦面がノズルヘッドの側面に傾いた状態で接触することで当該ノズルヘッドを傾倒させるので、内容物の噴射が可能となる。
【００１３】
即ち、２つの側壁部に操作片を連結する場合には、ノズルヘッド（ステム）の傾倒によって内容物を噴射させるエアゾール容器にも適用することができる。
【発明を実施するための最良の形態】
【００１４】
以下、図面を参照して、本発明の好適な形態を詳細に説明する。
【００１５】
図１(a),(b)はそれぞれ、本発明の第一の形態であるエアゾール容器用噴射アダプタ（以下、「アダプタ」という）１を備えるエアゾール容器２０を上方から示す平面図及び、当該アダプタ１及びエアゾール容器２０のノズルヘッド２３を同図(a)のＸ−Ｘ断面で示す要部側面図である。また、図２(a),(b)はそれぞれ、流通時及びエアゾール容器装着時のアダプタ１を示すＸ−Ｘ断面図である。
【００１６】
符号２は、前方が開放された環状の台座部である。台座部２は、その左右内側及び後側にそれぞれリブ２ｒを一体に有し、エアゾール容器２０の巻回部２１に着脱可能に嵌合する。
【００１７】
符号３は、アダプタ基部２から一体に起立する２つの側壁部である。２つの側壁部３の後端の相互間には、使用者が指を差し込んで後述の操作片６を押圧できるように、切り欠きＣが形成されている。
【００１８】
符号４は、図２に示すように、２つの側壁部２の相互間に一体に掛け渡され、エアゾール容器２０のステム２２に連結されたノズルヘッド２３の上部に配置される梁部である。梁部４は、アダプタ台座部２及び２つの側壁部３と共に、ノズル２３の噴射孔２３ａを外界に開放する開口部Ａを形成する。
【００１９】
符号５は、図２(a)に示すように、梁部４から一体に、２つの側壁部３の相互間を垂下する操作片である。操作片５の裏面５ｆには、操作片５の長手方向に沿って延在する凸部５ｐが形成されている。
【００２０】
これにより、アダプタ１は、例えば、同一の合成樹脂により一体に成形することができる。また、アダプタ１を一体に成形するに際し、梁部４と操作片５との間には、その上面側に薄肉部６を形成することができる。これにより、操作片５は、図２(b)に示すように、薄肉部６を基点に引き起こすことができる。また、薄肉部６は下面側に形成しても良いし、上下両面に形成しても良い。
【００２１】
このため、本形態の場合、図２(a)に示すように、操作片５を引き上げない状態のままにしておけば、輸送や保管などの流通段階において、アダプタ１同士が引っ掛かったり、嵩張ったりすることが抑制される。
【００２２】
また、使用にあたっては、操作片５を、薄肉部６を基点に引き上げたのち、エアゾール容器２０に装着すると、操作片５の凸部５ｐがノズルヘッド天面２３ｆの上部に配置される。これにより、操作片５を、図１(b)に示すように、薄肉部６を基点に押し下げれば、操作片５の凸部５ｐがノズルヘッド天面２３ｆと接触して当該ノズル２３を下向きに押圧させるので、内容物の噴射が可能となる。
【００２３】
従って、本形態のアダプタ１によれば、側壁部３の相互間に掛け渡された梁部４と操作片５との間に薄肉部６を形成し、この薄肉部６を基点に操作片５を引き起こし可能としたことで、当該アダプタ１を一体に成形することができる。
【００２４】
しかも、本形態によれば、操作片５を引き起こすまでの間、この操作片５は２つの側壁部３の相互間に収納されるので、輸送や保管などの流通段階においてアダプタ１同士が引っ掛かったり、嵩張ったりすることが抑制される。
【００２５】
従って、本形態によれば、部品点数を増加させることなく、流通性の面において有効なエアゾール容器用噴射アダプタを提供することができる。
【００２６】
図３(a),(b)はそれぞれ、本発明の第二の形態であるアダプタ１０を上方から示す平面図及び、そのＸ−Ｘ断面図である。また、図４(a),(b)はそれぞれ、アダプタ１０の側面図及び背面図である。
【００２７】
更に、図５(a),(b)はそれぞれ、同アダプタ１０をエアゾール容器２０に装着した状態を上方から示す平面図及び、当該アダプタ１０及びエアゾール容器２０のノズルヘッド２３を同図(a)のＸ−Ｘ断面で示す要部側面図であり、図６(a),(b)はそれぞれ、アダプタ１０の噴射状態及び取り外し操作状態を、当該アダプタ１０及びエアゾール容器２０のノズルヘッド２３を図５(a)のＸ−Ｘ断面で示す要部側面図である。
【００２８】
なお、以下の説明において、第一の形態と同等の部分は、同一符号をもって示す。
【００２９】
本形態に係る台座部２は、巻回部２１を全周に亘って取り囲み、その周方向に沿って間欠配置された複数のリブ２ｒを有する内筒部２ａと、内筒部２ａの外側に同軸配置される外筒部２ｂとを肩部２ｃを介して一体に形成してなり、エアゾール容器２０の巻回部２１の全周にわたって着脱可能に嵌合する。側壁部３は、台座部２から一体に起立し、その前方に、ノズルヘッド天面２３ｆから噴射孔２３ａに至るまでの間を外界に開放する開口部Ａを形成する。
【００３０】
操作片５は、図３(a)に示すように、側壁部３の後方上部から後方に向かって突出する基部７を介し、この基部７から一体に垂下し、その後縁ｅが半円形を形作る押圧部５ａを有する。基部７にはそれぞれ、その上面に薄肉部６が形成されている。これにより、操作片５は、図５(b)に例示するように、薄肉部６を基点に引き起こすことができる。なお、図５(b)の符号９は、エアゾール容器２０に着脱可能に装着されるオーバーキャップである。
【００３１】
また、操作片５は、図４に示すように、押圧部５ａから一体に突出して２つの基部７の相互間を上方に向かって突出する突出部５ｂを有する。この突出部５ｂの先端部５ｅは、操作片５の先端部を構成し、更に、操作片５には、その先端部５ｅを前方に向かって折り曲げることにより、この折り曲げ部分に平坦面５ｆを形成している。
【００３２】
本形態の場合も、図３に例示するように、操作片５を引き上げない状態のままにしておけば、輸送や保管などの流通段階において、アダプタ１同士が引っ掛かったり、嵩張ったりすることを抑制できる。
【００３３】
また、使用にあたっても、操作片５を、薄肉部６を基点に引き上げたのち、エアゾール容器１０に装着すると、図５に例示するように、操作片５の平坦面５ｆがノズルヘッド側面２３ｓに沿って整列する。これにより、操作片５を、図６(a)に示すように、薄肉部６を基点に押し下げれば、操作片５の平坦面５ｆがノズルヘッド側面２３ｓに傾いた状態で接触することで当該ノズルヘッド２３を傾倒させるので、内容物の噴射が可能となる。
【００３４】
即ち、本形態のように、２つの側壁部３に操作片５を連結し、側壁部３と操作片５との間に薄肉部６を形成しても、第一の形態と同様、当該アダプタ１０を一体に成形することができ、しかも、操作片５を引き起こすまでの間、この操作片５は２つの側壁部３の相互間に収納されるので、輸送や保管などの流通段階においてアダプタ同士が引っ掛かったり、嵩張ったりすることを抑制できる。
【００３５】
従って、本形態によっても、部品点数を増加させることなく、流通性の面において有効なエアゾール容器用噴射アダプタを提供することができる。
【００３６】
加えて、本形態の如く、２つの側壁部３に操作片５を連結する場合には、ノズルヘッド２３の傾倒によって内容物を噴射させるエアゾール容器にも適用することができる。
【００３７】
また、本形態の台座部２は、図６(b)に示すように、巻回部２１の嵌合する内筒部２ａと、内筒部２ａの外側に同軸配置される外筒部２ｂとを肩部２ｃを介して一体に形成してなるものであることから、使用後に、矢印に示す方向に外筒部２ｂを押圧して引き上げれば、内筒部２ａのリブ２ｒと巻回部２１との嵌合が解除される。これにより、アダプタ１０は、例えば廃棄の際に容易に分離することができる。
【００３８】
なお、本形態においては、操作片５の先端部５ｅを折り曲げることなく構成して、第一の形態に係るエアゾール容器２０と同様、ノズルヘッド２３を押し下げることで内容物を噴射させるものに適用することもできる。また、図７は、本発明の第三の形態であるアダプタ１０の変形例であって、当該アダプタ１０及びエアゾール容器２０のノズルヘッド２３を図５(b)のＸ−Ｘ断面に相当する断面で示す要部側面図であり、本形態に係る台座部２は、リブ２ｒを有する内筒部２ａのみで構成されている。
【００３９】
上述したところは、本発明の好適な形態を説明するものであるが、特許請求の範囲において、種々の変更を加えることができる。例えば、ノズルヘッド２３からの噴出形態は、本形態のように、内容物を噴霧させるものに限らず、泡状やストレート状の噴射を可能とするものであってもよい。
【図面の簡単な説明】
【００４０】
【図１】(a),(b)はそれぞれ、本発明の第一の形態であるエアゾール容器用噴射アダプタを備えるエアゾール容器を上方から示す平面図及び、当該アダプタ及びエアゾール容器のノズルを同図(a)のＸ−Ｘ断面で示す要部側面図である。
【図２】(a),(b)はそれぞれ、流通時及びエアゾール容器装着時の同形態に係るアダプタを示すＸ−Ｘ断面図である。
【図３】(a),(b)はそれぞれ、本発明の第二の形態であるアダプタを上方から示す平面図及び、そのＸ−Ｘ断面図である。
【図４】(a),(b)はそれぞれ、同形態に係るアダプタの側面図及び背面図である。
【図５】(a),(b)はそれぞれ、同形態に係るアダプタをエアゾール容器に装着した状態を上方から示す平面図及び、当該アダプタ及びエアゾール容器のノズルを同図(a)のＸ−Ｘ断面で示す要部側面図である。
【図６】(a),(b)はそれぞれ、同形態に係るアダプタの噴射状態及び取り外し操作状態を、当該アダプタ及びエアゾール容器のノズルを同図(a)のＸ−Ｘ断面で示す要部側面図である。
【図７】本発明の第三の形態であるアダプタの変形例であって、当該アダプタ及びエアゾール容器のノズルを図５(b)のＸ−Ｘ断面に相当する断面で示す要部側面図である。
【符号の説明】
【００４１】
１   エアゾール容器用噴射アダプタ（第一の形態）
２   アダプタ台座部
３   側壁部
４   梁部
５   操作片
5a   操作片押圧部
5b   操作片突出部
5e   操作片先端部
5f   操作片平坦面
６   薄肉部
９   オーバーキャップ
20   エアゾール容器用噴射アダプタ（第二の形態）
20   エアゾール容器
21   回巻部
22   ステム
23   ノズルヘッド
23a  ノズルヘッドの噴射孔
23f  ノズルヘッドの天面
23s  ノズルヘッドの側面
Ａ   噴射用開口部
Ｃ   操作用切り欠き
【図１】
0005074920.tif 000002
【図２】
0005074920.tif 000003
【図３】
0005074920.tif 000004
【図４】
0005074920.tif 000005
【図５】
0005074920.tif 000006
【図６】
0005074920.tif 000007
【図７】
0005074920.tif 000008